(57)【要約】【課題】複数のフラット型表示パネルを含む表示装置において、非表示領域の割合が小さく、個々のパネルの境界面が目立たない表示装置を提供する。【解決手段】フラット型表示パネル（ＦＰＤ）１Ｋ、１Ｌ、１Ｍは、画像を表示する表示部２を有する液晶セルと、バックライトユニットと、液晶セルとバックライトユニットの固定枠であり、表示部２の周縁を支持するフロントフレーム３ｋ、３ｌ、３ｍを備えている。フロントフレーム３ｋ、３ｌ、３ｍの表示面に対して垂直な側面には、互いに隣接するＦＰＤ１ＫとＦＰＤ１Ｌ、及びＦＰＤ１ＬとＦＰＤ１Ｍを連結する連結部１３が設けられている。連結部１３は、例えば一方のＦＰＤ１Ｌのフロントフレーム３ｌの側面３０に設けられた凸型取り付け部１６と、他方のＦＰＤ１Ｍのフロントフレーム３ｍの側面３０に設けられ、凸型取り付け部１６と嵌合する凹型取り付け部１７より構成される。【選択図】図４
2011170382.tif 000002
【特許請求の範囲】
【請求項１】
画像を表示する表示部及びこの表示部の周縁を支持するフレームを備えた複数のフラット型表示パネルを含む表示装置であって、上記フレームは、上記表示部の表示面に対して垂直な側面を有し、互いに隣接する上記フラット型表示パネルの対向する上記側面同士を連結する連結部を、上記側面に設けたことを特徴とする表示装置。
【請求項２】
互いに連結される上記側面の一方の上記連結部は突起部を有し、他方の上記連結部は上記突起部と嵌合する窪みを有することを特徴とする請求項１記載の表示装置。
【請求項３】
上記連結部は、断面形状がコの字型のコの字型部材をさらに備え、互いに隣接する上記フラット型表示パネルの対向する上記側面に、上記表示面の反対側から上記コの字型部材を挿入し、上記側面同士を連結したことを特徴とする請求項１記載の表示装置。
【請求項４】
上記連結部は、互いに連結される上記側面間に配置される取り付け具をさらに備え、上記取り付け具は、相対向する一対の面を有し、そのいずれか一方あるいは両方の面から垂直に突出した挿入ピンと、固定ねじを貫通させるねじ穴を備え、上記側面の上記連結部は、固定ねじ取り付け穴及び挿入ピン取り付け穴のいずれか一方または両方を備え、互いに連結される上記側面の一方の上記連結部に設けられた上記挿入ピン取り付け穴に上記挿入ピンを挿入すると共に、他方の上記連結部に設けられた上記固定ねじ取り付け穴に上記取り付け具の上記ねじ穴を介して上記固定ねじを挿入することにより、互いに隣接する上記フラット型表示パネルの対向する上記側面同士を上記取り付け具を介して連結することを特徴とする請求項１記載の表示装置。
【請求項５】
上記取り付け具は、その一方の面に２個以上の隣接する上記フラット型表示パネルを固定することにより、１つの上記取り付け具により４個以上の隣接する上記フラット型表示パネルを連結可能であることを特徴とする請求項４記載の表示装置。
【請求項６】
画像を表示する表示部を備えた複数のフラット型表示パネルを含む表示装置であって、上記複数のフラット型表示パネルは１つのフレームに収納されており、上記フレームは、上記複数のフラット型表示パネルの個々の上記表示部の周縁を支持するための仕切りを有し、上記仕切りは、互いに隣接する上記フラット型表示パネルの対向する側面同士を連結する機能を有することを特徴とする表示装置。
【請求項７】
上記フラット型表示パネルとして、液晶セルとバックライトユニットを備えた液晶表示パネルを用いたことを特徴とする請求項１〜請求項６のいずれか一項に記載の表示装置。
【発明の詳細な説明】
【技術分野】
【０００１】
本発明は、複数のフラット型表示パネルを連結して多画面表示または大画面表示を行う表示装置に関する。
【背景技術】
【０００２】
近年、ＣＲＴ、液晶表示装置、プラズマ表示装置等、各々の表示装置において、軽量化、薄型化及び画面サイズの大型化等が要求されている。その要求を満たす１つの方法として、複数のフラット型表示パネルを組み合わせて多画面表示または大画面表示を行う多画面表示装置がある。従来の多画面表示装置としては、主に、企業のショールームやイベント会場にて商品紹介やその他の情報提供を行うために、複数のＣＲＴを壁面に埋め込んだ多画面表示装置が採用されていた。
【０００３】
また、複数の液晶表示パネルを組み合わせ、それぞれの表示画像を連続させて、１つの大画面として表示を行う方式、あるいは個々に別個の画面表示を行う方式もある。図８に、複数の液晶表示パネルを用いた従来の表示装置２００を示す。液晶表示パネルは、画像を表示する表示部２を有する液晶セルと、バックライトユニット（図示せず）と、液晶セルとバックライトユニットの固定枠であり、表示部２の周縁を支持するフロントフレーム３３を備えている。従来の表示装置２００では、この液晶表示パネルのフロントフレーム３３の四隅に、個々に固定用のねじ穴５５が設けられており、表示面に対して垂直方向に固定ねじ６等の固定具が挿入され、取り付けベース（図示せず）に取り付けられていた。液晶表示パネルを用いた従来の表示装置２００の場合、重量が軽く搬送が容易であり、しかも液晶表示パネルは安価であり消費電力も小さいため、設備コストやランニングコストも少ないという利点がある。
【発明の概要】
【発明が解決しようとする課題】
【０００４】
しかしながら、取り付けベースに対して液晶表示パネルのフロントフレーム３３に設けられたねじ穴５５を個々に取り付ける従来の固定方法では（図８）、固定用のねじ穴５５を形成するためのスペースが必要であり、複数の液晶表示パネルを組み合わせて用いる場合、非表示領域の割合が大きくなるという問題があった。このため、大画面表示を行う場合、この非表示領域が目立ち、個々のパネルの境界面において画像が非連続となるという問題があった。
【０００５】
本発明は、上記のような問題点を解消するためになされたもので、複数のフラット型表示パネルを含む表示装置において、非表示領域の割合が小さく、個々のパネルの境界面が目立たない表示装置を提供することを目的とする。
【課題を解決するための手段】
【０００６】
本発明に係る表示装置は、画像を表示する表示部及びこの表示部の周縁を支持するフレームを備えた複数のフラット型表示パネルを含む表示装置であって、フレームは、表示部の表示面に対して垂直な側面を有し、互いに隣接するフラット型表示パネルの対向するフレーム側面同士を連結する連結部を、フレーム側面に設けたものである。
【０００７】
また、画像を表示する表示部を備えた複数のフラット型表示パネルを含む表示装置であって、複数のフラット型表示パネルは１つのフレームに収納されており、フレームは、複数のフラット型表示パネルの個々の表示部の周縁を支持するための仕切りを有し、この仕切りは、互いに隣接するフラット型表示パネルの対向する側面同士を連結する機能を有するものである。
【発明の効果】
【０００８】
本発明に係る表示装置によれば、互いに隣接するフラット型表示パネルの対向するフレーム側面同士を連結する連結部を、フレーム側面に設けることにより、個々のフラット型表示パネルを取り付け台にねじ止めしていた従来構造に比べ、非表示領域の割合を小さくすることができると共に、部品点数が少なくなり、組み立て作業が容易となる。
【０００９】
また、複数のフラット型表示パネルを１つのフレームに収納することにより、個々のフラット型表示パネルに必要であった従来のフロントフレームと取り付け台が不要となり、非表示領域の割合を小さくすることができると共に、部品点数が少なくなり、組み立て作業が容易となる。
【図面の簡単な説明】
【００１０】
【図１】本発明の実施の形態１である表示装置を説明する図である。
【図２】本発明の実施の形態２である表示装置を説明する図である。
【図３】本発明の実施の形態３である表示装置を示す正面図である。
【図４】本発明の実施の形態３である表示装置の連結部の一例を示す断面図及び斜視図である。
【図５】本発明の実施の形態３である表示装置の連結部の一例を示す断面図である。
【図６】本発明の実施の形態３である表示装置の連結部の一例を示す断面図である。
【図７】本発明の実施の形態４である表示装置を説明する図である。
【図８】従来の表示装置を示す正面図である。
【発明を実施するための形態】
【００１１】
実施の形態１．
以下に、本発明の実施の形態を図面に基づいて説明する。図１は、本発明の実施の形態１における表示装置を説明する図であり、図１（ａ）は本実施の形態における表示装置を構成するフラット型表示パネル（Ｆｌａｔ  Ｐａｎｅｌ  Ｄｉｓｐｌａｙ：以下ＦＰＤと記す）を示す正面図である。本実施の形態では、ＦＰＤ１として液晶表示パネルを例に挙げて説明する。ＦＰＤ１は、画像を表示する表示部２を有する液晶セルと、バックライトユニット（図示せず）と、液晶セルとバックライトユニットと、それらに対する固定枠を含んでおり、この固定枠は表示部２の周縁を支持するフロントフレーム３を備えている。なお、本実施の形態におけるフロントフレーム３の四隅には、取り付けねじ穴５を有する取り付け部４がフロントフレーム３の外側にやや突出して設けられている。この取り付けねじ穴５には、ＦＰＤ１を取り付け台に固定する際に、固定具である固定ねじが挿入される。
また、図１（ｂ）は、本実施の形態における表示装置を示す正面図であり、表示装置１００は、複数のＦＰＤ１Ａ、１Ｂ、１Ｃ、１Ｄを固定ねじ６を用いて図示しない取り付け台に固定、連結することにより、多画面表示または大画面表示を行うものである。
【００１２】
次に、本実施の形態における表示装置１００を構成する複数のＦＰＤ１Ａ、１Ｂ、１Ｃ、１Ｄを取り付け台に固定する方法について、図１（ｂ）及び図１（ｃ）を用いて説明する。なお、図１（ｃ）は、図１（ｂ）中、Ａ−Ａで示す部分の拡大断面図である。図において、４ａ、４ｂ、４ｃ、４ｄはＦＰＤ１Ａ、１Ｂ、１Ｃ、１Ｄのフロントフレーム３ａ、３ｂ、３ｃ、３ｄにそれぞれ設けられた取り付け部で、取り付けねじ穴５ａ、５ｂ、５ｃ、５ｄを有する。図１（ｃ）に示すように、取り付け部４ａ、４ｂ、４ｃ、４ｄはいずれも、フロントフレーム３ａ、３ｂ、３ｃ、３ｄの側面３０に対して垂直に突出しており、それぞれが互いにぶつかり合うことなく表示面に対して垂直方向に重なり合うように形成されている。また、取り付け部４ａ、４ｂ、４ｃ、４ｄは、それぞれ１つの取り付けねじ穴５ａ、５ｂ、５ｃ、５ｄを有することができる大きさがあればよく、小さいほどよい。
【００１３】
まず、互いに隣接するｎ個（２≦ｎ≦４）、本実施の形態では４個のＦＰＤ１Ａ、１Ｂ、１Ｃ、１Ｄのそれぞれの取り付け部４ａ、４ｂ、４ｃ、４ｄを、下から順に水平に重ね合わせる。この時、４個の取り付け穴５ａ、５ｂ、５ｃ、５ｄの位置が一致するように重ね合わせ、表示部２ａ、２ｂ、２ｃ、２ｄの表示面に対して垂直な、隣接する４個のＦＰＤ１Ａ、１Ｂ、１Ｃ、１Ｄに共通の取り付け穴５０を形成する。すなわち、共通の取り付け穴５０は、下から順に１／４ずつ、４個の取り付け穴５ａ、５ｂ、５ｃ、５ｄより構成されている。次に、この共通の取り付け穴５０に固定ねじ６を挿入することにより、隣接する４個のＦＰＤ１Ａ、１Ｂ、１Ｃ、１Ｄを取り付け台に固定する。なお、本実施の形態ではｎ＝４の場合について説明したが、ｎ＝２またはｎ＝３の場合についても同様である。複数のＦＰＤを三角形のピラミッド型や菱形に配列した場合には、その端部に配列されたＦＰＤにおいてｎ＝３の場合が生じる。
【００１４】
本実施の形態によれば、ＦＰＤ１のフロントフレーム３の四隅に形成される取り付け部４のスペースが、隣接するＦＰＤ１で共有されるため、図８に示す従来構造に比べて、個々のＦＰＤ１のねじ止めに要するスペースを削減することができ、非表示領域の割合を小さくすることができる。これにより、大画面表示を行う場合にも非表示領域が目立たず、個々のＦＰＤ１の境界面において画像が非連続となることを防止することができる。さらに、本実施の形態における表示装置１００を組み立てる際には、複数のＦＰＤ１に対して共通な取り付け穴５０に固定ねじ６を挿入して固定すればよいため、従来の表示装置２００に比べて部品点数が少なく作業が容易であり、作業量を大きく削減することが可能である。
【００１５】
実施の形態２．
図２（ａ）は、本発明の実施の形態２における表示装置を構成するＦＰＤを連結するための取り付け具であるブラケットを示す斜視図、図２（ｂ）は、図２（ａ）に示すブラケットを用いて複数のＦＰＤを連結する方法を説明する正面図、図２（ｃ）は図２（ｂ）の部分拡大図である。本実施の形態における表示装置１０１は、複数のＦＰＤ１Ｅ、１Ｆ、・・・、１Ｊを板状のブラケット７を介して連結し、多画面表示または大画面表示を行うものである。ＦＰＤ１Ｅ、１Ｆ、・・・、１Ｊは、例えば液晶表示パネルであり、画像を表示する表示部２を有する液晶セルと、バックライトユニット（図示せず）と、液晶セルとバックライトユニットと、それらに対する固定枠とを有し、この固定枠は表示部２の周縁を支持するフロントフレーム３ｅ、３ｆ、・・・、３ｊを備えている。また、ブラケット７は、相対向する一対の面７ａ、７ｂを有し、面７ｂから面７ａの方向に固定ねじ１０を貫通させるねじ穴８ａと、面７ａから面７ｂの方向に固定ねじを貫通させるねじ穴８ｂを有し、またブラケット７の面７ａから垂直に突出した挿入ピン９ａと、面７ｂから垂直に突出した挿入ピン９ｂを有する。さらに、ＦＰＤ１Ｅ、１Ｆ、・・・、１Ｊのフロントフレーム３ｅ、３ｆ、・・・、３ｊの表示面に対して垂直な側面３０には、図２（ｃ）に示すように、複数の固定ねじ取り付け穴１１または複数の挿入ピン取り付け穴１２が設けられている（連結部）。なお、固定ねじ取り付け穴１１はねじが切られているねじ穴であり、挿入ピン取り付け穴１２は、ねじの切られていない穴である。
【００１６】
次に、本実施の形態における表示装置１０１を構成する４つのＦＰＤ１Ｅ、１Ｆ、１Ｉ、１Ｊをブラケット７を介して連結する方法について、図２（ｃ）を用いて説明する。ＦＰＤ１Ｅ及びＦＰＤ１Ｉのフロントフレーム３ｅ、３ｉの側面３０には、ねじの切られた固定ネジ取り付け穴１１がそれぞれ２箇所ずつ設けられている。また、ＦＰＤ１Ｆ及びＦＰＤ１Ｊのフロントフレーム３ｆ、３ｊの側面３０には、ねじの切られていない挿入ピン取り付け穴１２がそれぞれ２箇所ずつ設けられている。また、ブラケット７には、挿入ピン９ａ、９ｂとねじ穴８ａ、８ｂが所定の間隔で設けられている。
【００１７】
まず、互いに隣接するＦＰＤ１Ｅ、１Ｆ及び１Ｊ、１Ｉのフロントフレーム３ｅ、３ｆ及び３ｊ、３ｉの側面３０間にブラケット７を配置する。次に、ＦＰＤ１Ｅ及びＦＰＤ１Ｉのフロントフレーム３ｅ、３ｉの側面３０に設けられた固定ねじ取り付け穴１１に、ブラケット７のねじ穴８ａ、８ｂを介して固定ねじ１０を挿入し、固定する。ＦＰＤ１Ｅに対する固定ねじ１０はブラケット７の右側から、ＦＰＤ１Ｉに対する固定ねじ１０はその左側からそれぞれブラケット７を貫通する。さらに、ＦＰＤ１Ｆのフロントフレーム３ｆの側面３０に設けられた挿入ピン取り付け穴１２に挿入ピン９ｂを挿入すると共に、ＦＰＤ１Ｊのフロントフレーム３ｊの側面３０に設けられた挿入ピン取り付け穴１２に挿入ピン９ａを挿入する。以上の作業により、互いに隣接するＦＰＤ１Ｅ、１Ｆ及び１Ｊ、１Ｉをブラケット７を介して連結することができる。
【００１８】
なお、固定ねじ１０と挿入ピン９ａ、９ｂの配置及び個数については様々なパターンが考えられ、ブラケット７に設けられたねじ穴８ａ、８ｂと挿入ピン９ａ、９ｂの配置及び個数も図２（ａ）に示す限りではない。本実施の形態では、ブラケット７の両方の面７ａ、７ｂから挿入ピン９ａ、９ｂが突出しているが、ブラケット７の一方の面のみから挿入ピンが突出しているような形態も考えられる。いずれにせよ、固定ネジ１０を用いることにより安定した確実な固定が行え、挿入ピン９ａ、９ｂを用いることにより、部品点数が少なくなり組み立て作業が容易となる。なお、図２（ｃ）では、横方向に隣接するＦＰＤ１ＥとＦＰＤ１Ｆ、及びＦＰＤ１ＪとＦＰＤ１Ｉをブラケット７にて連結する方法について説明したが、ブラケット７は縦方向に隣接するＦＰＤ１ＥとＦＰＤ１Ｊ、及びＦＰＤ１ＦとＦＰＤ１Ｉをも結果的に連結している。すなわち、１つのブラケット７で４つのＦＰＤを連結している。また、図２（ｂ）では２つのブラケット７で６つのＦＰＤを連結している。このように、ブラケットの一方の面に２個以上の隣接するＦＰＤを固定することにより、１つのブラケットにより４個以上の隣接するＦＰＤが連結可能である。
【００１９】
本実施の形態によれば、互いに隣接するＦＰＤ１Ｅ、１Ｆ及び１Ｊ、１Ｉのフロントフレーム３ｅ、３ｆ及び３ｊ、３ｉの側面３０を板状のブラケット７を介して連結することにより、図８に示す従来構造に比べて、個々のＦＰＤ１Ｅ、１Ｆ、・・・、１Ｊの非表示領域の割合を小さくすることができる。これにより、大画面表示をおこなう場合にも非表示領域が目立たず、個々のＦＰＤ１Ｅ、１Ｆ、・・・、１Ｊの境界面において画像が非連続となることを防止することができる。
【００２０】
実施の形態３．
図３は、本発明の実施の形態３における表示装置を示す正面図である。本実施の形態における表示装置１０２は、互いに連結された複数のＦＰＤ１Ｋ、１Ｌ、１Ｍにより多画面表示または大画面表示を行うものである。ＦＰＤ１Ｋ、１Ｌ、１Ｍは、例えば液晶表示パネルであり、画像を表示する表示部２を有する液晶セルと、バックライトユニットと、液晶セルとバックライトユニットの固定枠であり、表示部２の周縁を支持するフロントフレーム３ｋ、３ｌ、３ｍを備えている。さらに、本実施の形態では、フロントフレーム３ｋ、３ｌ、３ｍの表示面に対して垂直な側面に、互いに隣接するＦＰＤ１ＫとＦＰＤ１Ｌ、及びＦＰＤ１ＬとＦＰＤ１Ｍを連結する連結部１３が設けられている。この連結部１３については様々な形態が考えられるが、代表的な形態について図４〜図６を用いて説明する。なお、図４（ａ）、図５及び図６は、図３中Ｂ−Ｂで示す部分の断面図であり、図において１４は液晶セル、１５はバックライトユニットである。なお、図中、同一、相当部分には同一符号を付し、説明を省略する。
【００２１】
まず、図４に示す連結部１３ａは、一方のＦＰＤ１Ｌのフロントフレーム３ｌの側面３０に設けられた突起部である凸型取り付け部１６と、これに隣接する他方のＦＰＤ１Ｍのフロントフレーム３ｍの側面３０に設けられ、凸型取り付け部１６と嵌合する窪みである凹型取り付け部１７より構成されている。凸型取り付け部１６は、フロントフレーム３ｌの側面３０に対して垂直に隆起すると共に側面３０と平行に延びた板状の差し込み部１６ａを有している。一方、凹型取り付け部１７は、凸型取り付け部１６の板状の差し込み部１６ａが挿入される差し込み口１７ａを有しており、板状の差し込み部１６ａを凹型取り付け部１７の差し込み口１７ａよりＦＰＤ１Ｍのフロントフレーム３ｍに挿入することにより、ＦＰＤ１Ｌのフロントフレーム３ｌとＦＰＤ１Ｍのフロントフレーム３ｍの互いの側面３０が連結、固定される。なお、図４（ｂ）は、図４（ａ）に示す連結部１３ａを連結する前の状態を示す斜視図である。
【００２２】
また、図５に示す連結部１３ｂは、互いに隣接するＦＰＤ１Ｌ、１Ｍのフロントフレーム３ｌ、３ｍのそれぞれの側面３０と、バックライトユニット１５ｌ、１５mの側面１５ａの間に、コの字型部材であるコの字型ブラケット１８を挿入したものである。フロントフレーム３ｌ、３ｍの側面３０と、バックライトユニット１５ｌ、１５ｍの側面１５ａの間には、コの字型ブラケット１８が挿入可能な空間である凹部１９が設けられている。この凹部を用いて互いに隣接するＦＰＤ１Ｌ、１Ｍのフロントフレーム３ｌ、３ｍのそれぞれの側面３０と、バックライトユニット１５ｌ、１５ｍの側面１５ａの間に、コの字型ブラケット１８を挿入することにより、ＦＰＤ１Ｌのフロントフレーム３ｌとＦＰＤ１Ｍのフロントフレーム３ｍの互いの側面３０が連結、固定される。
【００２３】
また、図６は、図５をさらに発展させた例であり、図５に示すコの字型ブラケット１８を、一方のＦＰＤ１Ｍのフロントフレーム３ｍと結合させたものである。図６に示す連結部１３ｃは、一方のＦＰＤ１Ｍのフロントフレーム３ｍの側面３０に、この側面３０と一体化されたコの字型取り付け部２０を設け、このコの字型取り付け部２０を他方のＦＰＤ１Ｌのフロントフレーム３ｌの側面３０とバックライトユニット１５ｌ、１５ｍの側面１５ａの間に挿入したものである。フロントフレーム３ｌの側面３０とバックライトユニット１５ｌ、１５ｍの側面１５ａの間には、コの字型取り付け部２０が挿入可能な空間である凹部１９が設けられている。すなわち、互いに隣接するＦＰＤ１Ｌ、１Ｍにおいて、一方のＦＰＤ１Ｍのフロントフレーム３ｍの側面３０に設けられたコの字型取り付け部２０を、他方のＦＰＤ１Ｌのフロントフレーム３ｌの側面３０とバックライトユニット１５ｌ、１５ｍの側面１５ａの間に設けられた凹部１９に挿入することにより、ＦＰＤ１Ｌのフロントフレーム３ｌとＦＰＤ１Ｍのフロントフレーム３ｍの互いの側面３０が連結、固定される。
【００２４】
なお、連結部１３の形態については、図４〜図６に示した３つの例に限定するものではなく、他にも様々な形態が考えられる。また、図３では、ＦＰＤ１Ｋ、１Ｌ、１Ｍのフロントフレーム３ｋ、３ｌ、３ｍの連結される側面３０に対して２個の連結部１３を設けたが、連結部１３は１個または３個以上でもよい。さらに、連結部１３が連結される側面３０のほぼ全域を占めるようなものでもよい。
【００２５】
本実施の形態によれば、複数のＦＰＤ１Ｋ、１Ｌ、１Ｍのフロントフレーム３ｋ、３ｌ、３ｍの側面３０に連結部１３を設け、互いに隣接するＦＰＤ１Ｋ、１Ｌ及びＦＰＤ１Ｌ、１Ｍを連結したので、図８に示す従来構造に比べて、個々のＦＰＤ１Ｋ、１Ｌ、１Ｍの非表示領域の割合を小さくすることができる。これにより、大画面表示をおこなう場合にも非表示領域が目立たず、個々のＦＰＤ１Ｋ、１Ｌ、１Ｍの境界面において画像が非連続となることを防止することができる。さらに、本実施の形態における表示装置１０２を組み立てる際には、固定ねじ等の細かい部品を用いないため、従来の表示装置（図８）に比べて組み立て作業が容易であり、作業量を削減することが可能である。
【００２６】
実施の形態４．
図７は、本発明の実施の形態４における表示装置を説明する図である。本実施の形態における表示装置１０３は、互いに連結された複数のＦＰＤ１Ｎにより多画面表示または大画面表示を行うものである。本実施の形態におけるＦＰＤ１Ｎは、例えば液晶表示パネルであり、画像を表示する表示部２を有する液晶セル１４と、バックライトユニット１５を備えている。本実施の形態では、複数のＦＰＤ１Ｎを１つのフレーム２１に収納することにより、連結、固定している。なお、フレーム２１には、複数のＦＰＤ１Ｎの個々の表示部２周縁を支持するための仕切り２２が設けられている。すなわち、フレーム２１は、液晶セル１４とバックライトユニット１５の固定枠としての機能と、複数のＦＰＤ１Ｎを固定する取り付け台としての機能を有するものである。
【００２７】
本実施の形態によれば、複数のＦＰＤ１Ｎを１つのフレーム２１に直接取り付けることにより、複数のＦＰＤ１Ｎを連結、固定するようにしたので、図８に示す従来構造に比べて、個々のＦＰＤ１Ｎの非表示領域の割合を小さくすることができる。さらに、個々のＦＰＤ１Ｎの表示部２周縁を支持する従来のフロントフレーム３３や取り付け台が必要ないため、部品点数が少なくなり、組み立て作業も簡単になる。
【００２８】
なお、上記実施の形態１〜４では、ＦＰＤとして液晶表示パネルを例に挙げて説明したが、本発明は、複数の液晶表示パネルを用いた表示装置に限定されるものではなく、複数のＣＲＴまたはプラズマ表示装置を用いて多画面表示または大画面表示を行う表示装置についても適用することができる。
【産業上の利用可能性】
【００２９】
本発明は、複数のフラット型表示パネルを含み、多画面表示または大画面表示を行う表示装置として利用することができる。
【符号の説明】
【００３０】
１、１Ａ、１Ｂ、１Ｃ、１Ｄ、１Ｅ、１Ｆ、１Ｇ、１Ｈ、１Ｉ、１Ｊ、１Ｋ、１Ｌ、１Ｍ、１Ｎ  フラット型表示パネル（ＦＰＤ）、２  表示部、
３、３ａ、３ｂ、３ｃ、３ｄ、３ｅ、３ｆ、３ｇ、３ｈ、３ｉ、３ｊ、３３  フロントフレーム、３０  側面、４、４ａ、４ｂ、４ｃ、４ｄ  取り付け部、
５、５ａ、５ｂ、５ｃ、５ｄ、５５  取り付けねじ穴、５０  共通の取り付け穴、６、１０  固定ねじ、７  ブラケット、７ａ、７ｂ  面、８ａ、８ｂ  ねじ穴、
９ａ、９ｂ  挿入ピン、１１  固定ねじ取り付け穴、１２  挿入ピン取り付け穴、１３、１３ａ、１３ｂ、１３ｃ  連結部、１４  液晶セル、
１５、１５ｋ、１５ｌ  バックライトユニット、１５ａ  バックライトユニット側面、１６  凸型取り付け部、１６ａ  差し込み部、１７  凹型取り付け部、
１７ａ  差し込み口、１８  コの字型ブラケット、１９  凹部、２０  コの字型取り付け部、２１  フレーム、２２  仕切り、３０  フロントフレーム側面、
１００、１０１、１０２、１０３、２００  表示装置。
【図１】
2011170382.tif 000003
【図２】
2011170382.tif 000004
【図３】
2011170382.tif 000005
【図４】
2011170382.tif 000006
【図５】
2011170382.tif 000007
【図６】
2011170382.tif 000008
【図７】
2011170382.tif 000009
【図８】
2011170382.tif 000010